(57)【要約】【課題】埋立地などの軟弱地盤上にも容易に、かつ高い面積効率で設置することができ、地盤に不同沈下が生じても架台に変形応力が蓄積されにくく、長期間にわたり架台や太陽電池モジュールを良好な状態に維持し得る太陽電池アレイとその設置構造を提供する。【解決手段】本発明の太陽電池アレイ１は、太陽電池モジュール２０を枠組みしてなる太陽電池パネル２と、上記太陽電池パネル２を支持する架台３と、上記架台３を支持する基礎ブロック５とを具備する太陽電池アレイ１において、基礎ブロック５は複数箇所に分割されていない一塊の重量物からなり、この基礎ブロック５の設置面積Ｓ5が太陽電池パネル２の水平投影面積Ｓ2よりも小さく、かつ基礎ブロック５の設置面内域に太陽電池パネル２の重心が保持されるように形成されたものである。【選択図】図２
2010098241.tif 000002
【特許請求の範囲】
【請求項１】
太陽電池モジュールで構成される太陽電池パネルと、上記太陽電池パネルを支持する架台と、上記架台を支持する基礎ブロックとを具備する太陽電池アレイにおいて、
上記基礎ブロックは複数箇所に分割されていない一塊の重量物からなり、この基礎ブロックの設置面積が太陽電池パネルの水平投影面積よりも小さく形成されたことを特徴とする太陽電池アレイ。
【請求項２】
請求項１に記載の太陽電池アレイにおいて、
上記太陽電池パネルの重心もしくは上記太陽電池パネルを支持する架台を含めた太陽電池パネルの重心が基礎ブロックの設置面内域に保持されるように形成されたことを特徴とする太陽電池アレイ。
【請求項３】
請求項１または２に記載の太陽電池アレイにおいて、
架台は、太陽電池パネルの裏面に添設されるフレームと、該フレームを下方から支持する複数本のアームとを備え、各アームの基端側は基礎ブロック側に、先端側はフレーム側に各々結合されるとともに、
アームとフレームとの結合位置を囲んで形成される領域の水平投影面積よりも基礎ブロックの設置面積が小さくなるように形成されたことを特徴とする太陽電池アレイ。
【請求項４】
請求項３に記載の太陽電池アレイにおいて、
基礎ブロックの上面に、一対のベースレールが互いに間隔を開けて並置され、それらベースレールの端部が基礎ブロックの外方まで延設されるともに、
アームの基端またはその近傍が上記ベースレール上に結合されてアームが保持されていることを特徴とする太陽電池アレイ。
【請求項５】
請求項４に記載の太陽電池アレイにおいて、
一対のベースレール上に、複数本の載架アームがベースレールと交差する姿勢で載架され、それら載架アームの一端が基礎ブロックの外方まで延設され、
上記各載架アームの他端に斜めアームがそれぞれ接合されたことを特徴とする太陽電池アレイ。
【請求項６】
請求項４に記載の太陽電池アレイにおいて、
一対のベースレール上に、複数本の載架アームがベースレールと交差する姿勢で載架され、それら載架アームの両端が基礎ブロックの外方まで延設されたことを特徴とする太陽電池アレイ。
【請求項７】
請求項１から６までのいずれか一項に記載した太陽電池アレイにおいて、
太陽電池パネルは、その傾斜方向における下流側縁部が基礎ブロックの天面の高さよりも低い位置で保持されたことを特徴とする太陽電池アレイ。
【請求項８】
請求項１から７までのいずれか一項に記載した太陽電池アレイを、隣接する互いの太陽電池モジュールの間に間隔を保持して複数個、配置することを特徴とする太陽電池アレイの設置構造。
【発明の詳細な説明】
【技術分野】
【０００１】
本発明は、太陽電池アレイと、その設置構造に関する。なお、日本工業規格ＪＩＳ・Ｃ８９６０「太陽光発電用語」には、架台や基礎その他の等の工作物を備えて、太陽電池モジュール（太陽電池パネル）を機械的に一体化し、結線された集合体で、直流発電装置の一つを構成するものを太陽電池アレイと称することが規定されており、本明細書においても太陽電池アレイの概念は上記規定に準ずることとする。
【背景技術】
【０００２】
近年、環境保護や省資源・省エネルギーに寄与する電力システムとして、太陽光発電システムが急速に普及しつつある。太陽光発電システムは様々な場所や施設に設置されるようになり、該システムを構成する太陽電池モジュールの設置構造についても多様な提案がなされている。
【０００３】
太陽電池モジュールを、勾配屋根などの傾斜面ではなく、平坦な地面（舗装面、未舗装面）や建物の陸屋根等に設置する場合は、例えば特許文献１に開示されているように、鉄筋コンクリート等からなる基礎構造体を設置面上の複数箇所に構築し、それらの基礎構造体上に、太陽電池モジュールを支持するための架台を架け渡して固定するのが一般的である。架台は、通常、形鋼材を枠状やトラス状に組んで形成される。
【０００４】
しかし、基礎構造体を構築するためには、設置現場でコンクリート型枠を組んでコンクリートを打設する作業が必要になる。その作業に手間や時間がかかることから、以下のように簡略的な設置構造も提案されている。
【０００５】
すなわち、特許文献２には、太陽電池モジュールを保持する架台の四隅に金属製の支柱を設け、その支柱の下部を矢尻状の杭部となし、その杭部を地中に打ち込んで引き抜き荷重に対抗する設置構造が開示されている。支柱が地中に埋設される部分には、支柱よりも径の大きいコンクリート製の支持部を設け、この支持部によって自重による荷重を支持している。
【０００６】
また、特許文献３及び４には、太陽電池モジュールを保持する架台の四隅に（架台が大きい場合には、さらにその中間部にも）、コンクリート製の基礎ブロックを取り付けて設置面に載置する構造が開示されている。コンクリート製の基礎ブロックは、予め所定の形状に形成されて、現場では設置面上に据え置かれるだけである。基礎ブロックが架台本体に低重心荷重を持たせるとともに、風荷重に対するカウンターウエイトとして作用することにより設置状態が安定する。このように、コンクリート製の基礎ブロックを設置面に載置する構造であれば、設置面を掘り起こして構造物を埋設したり、構造物を打ち込んだりしなくても済むので、施工が簡単になる。
【特許文献１】特開２００７−３５８４９号公報
【特許文献２】特開平５−３３３５号公報
【特許文献３】特開平９−７０１８８号公報
【特許文献４】特開平１１−１７７１１４号公報
【発明の開示】
【発明が解決しようとする課題】
【０００７】
上記した従来の太陽電池モジュールの設置構造は、いずれも設置場所の地盤が十分な荷重支持力を備えていることを前提としている。しかしながら、例えば海浜埋立地や産業廃棄物処分場などの広大な土地を利用して大規模の太陽光発電システムを設置する場合、その種の土地は地盤が軟弱で、十分な荷重支持力が得られないことが多い。このような埋立地等において、地盤の荷重支持力を確保するために、その広大な土地の全域にわたって鉄筋コンクリート製の基礎構造物を構築したり、杭を打ち込んだりするような基礎工事を実施するのは、きわめて不経済である。したがって、上記特許文献１や２に記載された太陽電池モジュールの設置構造は、埋立地等の軟弱地盤では実施しづらい。
【０００８】
上記特許文献３、４に記載されたように、整地した地面に基礎ブロックを載置して並べる設置構造であれば、大がかりな基礎工事を省くことができ、施工期間も短くて済む。しかし、軟弱地盤には経年的な不同沈下（不等沈下）が生じることを避けられない。上記のように架台が複数個の基礎ブロックに架け渡された状態で支持される場合、各基礎ブロックの沈下量に不均等が生じると、架台には強制変形による内部応力が蓄積されて、架台や太陽電池モジュールが損壊しやすくなる。
【０００９】
また、上記特許文献３、４に記載された設置構造は、架台の四隅に設けられた基礎ブロックが架台の外側にせり出しているので、太陽電池モジュールの水平投影面積よりも、基礎ブロックを設置するための面積のほうが、ひと回りほど大きくなる。その結果、一定の面積に並べることのできる太陽電池モジュールの総表面積が目減りして、システム全体での発電量が少なくなってしまう。
【００１０】
本発明は上記のような問題に着目してなされたもので、埋立地などの軟弱地盤上にも容易に、かつ高い面積効率で設置することができるとともに、地盤に不同沈下が生じても、架台に大きな変形応力が蓄積されにくく、よって長期間にわたり架台や太陽電池モジュールを良好な状態に維持し得る太陽電池アレイと、その設置構造を提供すること解決架台とする。
【課題を解決するための手段】
【００１１】
上記した目的を達成するため、本発明の太陽電池アレイは、太陽電池モジュールで構成される太陽電池パネルと、上記太陽電池パネルを支持する架台と、上記架台を支持する基礎ブロックとを具備する太陽電池アレイにおいて、上記基礎ブロックは複数箇所に分割されていない一塊の重量物からなり、この基礎ブロックの設置面積が太陽電池パネルの水平投影面積よりも小さく形成されたことを特徴とする。
【００１２】
さらに、上記太陽電池パネルの重心もしくは上記太陽電池パネルを支持する架台を含めた太陽電池パネルの重心が基礎ブロックの設置面内域に保持されるように形成されたことを特徴とする。
【００１３】
また、上述の架台は、太陽電池パネルの裏面に添設されるフレームと、該フレームを下方から支持する複数本のアームとを備え、各アームの基端側は基礎ブロック側に、先端側はフレーム側に各々結合されるとともに、アームとフレームとの結合位置を囲んで形成される領域の水平投影面積よりも基礎ブロックの設置面積が小さくなるようにすることを特徴とする。
【００１４】
また、上記した目的を達成するため、本発明の太陽電池アレイの設置構造は、上述の太陽電池アレイを、隣接する互いの太陽電池モジュールの間に間隔を保持して複数個、配置することを特徴とする。
【発明の効果】
【００１５】
上述のように構成される本発明の太陽電池アレイは、架台を支持する基礎ブロックが一塊の重量物からなり、その基礎ブロックは風荷重に対するカウンターウエイトとして作用するので、基礎ブロックを設置面に載置することで安定した保持状態が得られる。したがって、広大な埋立地等に多数個の太陽電池アレイを並べる場合でも、短期間で簡単に施工することができる。
【００１６】
また、基礎ブロックの設置面積が太陽電池パネルの水平投影面積よりも小さくなるように形成されているので、基礎ブロックを設置面に載置すると、その上方に太陽電池パネルが傘のように保持される。したがって、多数個の太陽電池アレイを隣接させて並べる場合、各太陽電池アレイ間の無駄なスペースを省いて面積効率を上げることができる。
【００１７】
また、本発明の太陽電池アレイは、一塊の基礎ブロックによって架台を支持するように構成されているので、軟弱地盤に不同沈下が生じても基礎ブロック全体が沈下するので、架台や太陽電池パネルには不均等な変形応力を蓄積させずに済み、長期間にわたって架台や太陽電池モジュールの損壊を防ぐことができる。
【発明を実施するための最良の形態】
【００１８】
以下、本発明の実施の形態について図を参照して説明する。
【００１９】
図１は、本発明の実施形態に係る太陽電池アレイを傾斜方向下手側から見た正面図、図２は同じく側面図である。また、図３は、図１及び図２に示した太陽電池アレイを、太陽電池パネルの法線方向から見下ろした図である。これら各図においては、架台の構成を見やすくするために、太陽電池パネルは、その輪郭のみを二点鎖線で描いている。
【００２０】
太陽電池アレイ１を構成する太陽電池パネル２は、単数または複数の太陽電池モジュール２０を、通常は専用のアルミ枠等に納めるなどして平板状に形成したものである。例示形態では４枚の太陽電池モジュール２０を縦横２段２列に枠組みして傾斜状態に保持している。枠組み状態における太陽電池パネル２の想定寸法は、例えば幅（短辺）約２ｍ×高さ（長辺）約２．８ｍ、傾斜角度は水平面に対して約３０度（仰角約６０度）である。
【００２１】
ただし、本発明において、太陽電池パネル２を構成する太陽電池モジュール２０の詳細な構造は特に限定しない。例えば、周縁部にアルミ枠等がないタイプの太陽電池モジュール２０でも構わない。１枚の太陽電池パネル２を構成する太陽電池モジュール２０の枚数も特に限定されないが、設置の容易性を考慮すると、数枚以内とするのが実用的である。
【００２２】
この太陽電池パネル２は、その裏側に取り付けられる架台３と、架台３に結合された基礎ブロック５とによって支持される。本発明の要部は、架台３と、それを支持する基礎ブロック５の構造にある。
【００２３】
基礎ブロック５は、複数箇所に分割されていない一塊の重量物によって構成される。「一塊の」とは、材質が概ね一様で、容易には変形しない、あるいは変形量を無視できる程度の剛体からなり、外観的には１個と認識することができ、通常の力学的概念においても一体物として扱われるような、独立した形態をなすものを想定している。具体的には、例えば直方体、円柱、半球などである。ただし、これらの条件に厳密に拘束されるものではなく、後述する発明の主旨を逸脱しない範囲で上記条件に準じた形態も含まれる。
【００２４】
また、「重量物」とは、少なくとも太陽電池パネル２に作用する風荷重に対し、十分なカウンターウエイトとして作用する程度の自重を有することを意味する。かかる重量を有する具体的な材質としては、コンクリートを主体とするものが最も実用的であるが、金属材料や、コンクリートと金属との複合材料等も、コスト等が合えば利用可能である。コンクリートには、一般的なセメントコンクリートの他、アスファルトコンクリートやレジンコンクリート等も包含される。また、建築物の解体で生じるコンクリート廃材等をセメントモルタルで再結合した材料なども好適に利用することができる。鉄筋等による配筋は、基礎ブロック５の全体形状に応じて適宜選択されればよい。
【００２５】
例示形態に係る基礎ブロック５は、例えば鉄筋入りのプレキャストコンクリートによって平面視矩形の短柱状に形成されている。例示形態に係る基礎ブロック５の想定寸法は、縦横各０．９５ｍ×高さ０．３ｍで、底面と上面はほぼ平坦である。この基礎ブロック５が、勾配の小さい平坦な設置面６上に載置される。
【００２６】
「平坦な」とは、例えば整地や舗装等によって、表面の凹凸が概ね数センチ以内に整えられた状態を目安とする。排水等のために設けられる数％程度の緩い勾配は差し支えない。また、「載置」とは、設置面を掘り返して構造物を埋設したり、杭その他の固定部材を地中に打設したりして基礎ブロックを固定するのではなく、単純に所定の位置まで運んで据え置くことを意味する。
【００２７】
架台３は、例えば形鋼材等からなる棒状の構造材を複数本、組み合わせ、枠状やトラス状に接合して形成される。例示形態にあっては、基礎ブロック５の上面に、コンクリート内に植設されたアンカーボルト５１を介して、２本のベースレール３１が水平に取り付けられている。２本のベースレール３１は、互いに間隔を開けて、太陽電池パネル２の傾斜方向に対し横向きに配置され、その両端が基礎ブロック５の外方に張り出して、太陽電池パネル２の幅とほぼ同じ長さまで延設されている。このベースレール３１には、上向きに開口するハット形鋼が用いられている。
【００２８】
ベースレール３１上の両端部及び中間部には、ベースレール３１と交差するようにして、計３本の載架アーム３２が前後方向に載架されている。各載架アーム３２は、ボルト・ナットその他適宜の取付金具を介してベースレール３１に接合され、その前端が基礎ブロック５の前方まで延設されている。各載架アーム３２の後端には、斜めアーム３３が傾斜角度を揃えて斜め後方に立ち上がるように、それぞれ接合されている。これら載架アーム３２及び斜めアーム３３にも上向きに開口するハット形鋼が用いられている。隣接する斜めアーム３３の間には、Ｘ字状に交差するブレース３４が取り付けられている。
【００２９】
上記のような複数本の載架アーム３２や斜めアーム３３等を組み合わせて構成される構造体の上部に、太陽電池パネル２を支持するためのフレーム３６が設けられる。例示形態にあっては、太陽電池パネル２の傾斜方向に沿って、載架アーム３２の前端と斜めアーム３３の上端との間に架設された３本の斜材がフレーム３６を構成している。これらの斜材にも、下向きに開口するハット形鋼が利用されている。その斜材の頂面部に、専用の取付金具３７やボルト・ナット等を介して、太陽電池パネル２の枠材（図示せず）が掛止される。
【００３０】
なお、上述した架台３の構造は一例であり、部材の本数や向き、角度、接合形態、補強部材の有無等は、発明の主旨を逸脱しない範囲で適宜変更可能である。また、部材の材料として、ハット形鋼の代わりに例えば溝形鋼やＣ形鋼などを用いることもできる。
【００３１】
このように構成された太陽電池アレイ１の特に重要な構造的特徴は、一塊の重量物からなる基礎ブロック５が、平坦な設置面６に載置されることにある。架台３や太陽電池パネル２は、複数個の分割体ではない一塊の基礎ブロック５のみによって支持されるから、設置面６の地盤が軟弱であって、万一、不同沈下が生じた場合でも、基礎ブロック５と、その上に固定された架台３や太陽電池パネル２が全体的に沈下または若干傾倒するだけで、架台３や太陽電池パネル２の各部に不均等な変形応力は蓄積されにくい。このことにより、架台３や太陽電池パネル２が長期間にわたって力学的に無理のない状態に保持され、変形応力による局部的な損壊は生じにくくなる、という作用効果が得られる。
【００３２】
かかる作用により、本発明の太陽電池アレイは、特に埋立地のような軟弱地盤上に設置する場合に有利である。もちろんこれに限るところではなく、例えば、砂漠のような不安定な場所や、局所的に地盤が軟弱な敷地にも設置可能である。また、載置することで簡単に施工できることから、一般建築物における陸屋根その他の人工床板ほか、例えば河川敷や河川の土手沿い、道路沿いの余地などに設置するのも好適である。
【００３３】
なお、基礎ブロック５の底面形状については、不規則に生じるおそれがある不同沈下に対して方向性を定めないほうが好ましい場合もある。したがって、図示のような正方形よりもさらに角の多い多角形や、あるいは円形や楕円形などを、基礎ブロック５の底面形状として採用してもよい。
【００３４】
基礎ブロック５の底面は、平坦な設置面６上で安定するよう、概ね平坦に形成される。ただし、設置面６との摩擦力を増大させるために、基礎ブロック５の底面に、微少な凹凸、あるいはスパイク状の突起や突条等を設けてもよい。これにより、基礎ブロック５の設置状態がさらに安定し、特に強風による横方向へのずれや回動などが生じにくくなる。かかる凹凸の形状については、設置面６の表面状態等に応じて適宜設計されればよいが、基本的には、設置面６に対して事前に特別な工事を施さずとも、基礎ブロック５を据え付ければ、その自重により設置面６に密着しうる程度の凹凸、とするのが好ましい。
【００３５】
本発明に係る太陽電池アレイ１のさらなる重要な構造的特徴は、基礎ブロック５の設置面積Ｓ5が、架台３を介して支持される太陽電池パネル２の水平投影面積Ｓ2よりも小さいこと、より限定的には、載架アーム３２及び斜めアーム３３の先端とフレーム３６との結合位置を囲んで形成される領域の水平投影面積Ｓ3よりも小さいことにある。ここで、基礎ブロック５の設置面積Ｓ5とは、基本的には基礎ブロック５の底面積を意味するが、基礎ブロック５の中間部に例えば膨出部分等がある場合は、その部分も含めた水平投影面積とする。この構成により、多数個の太陽電池アレイ１を並べる場合に、互いの基礎周りの干渉を避けて太陽電池アレイ１同士を近接させることが可能になり、システム全体として全体太陽電池パネル２の設置面積を増やすことができる。
【００３６】
ただし、基礎ブロック５は、小さければよいわけではなく、少なくとも太陽電池パネル２に作用する風荷重に対抗して、架台３及び太陽電池パネル２を安定的に支持しうる程度の自重を備える必要がある。参考までに、例示形態の太陽電池アレイ１における荷重計算の例を次に示す。基準風速Ｖｏ＝３４ｍ／秒としたとき、逆風時に太陽電池パネル２にかかる想定荷重の鉛直成分は６００ｋｇと見積もられる。一方、基礎ブロック５の体積は０．９５×０．９５×０．３＝０．２７ｍ3で、その自重は２．４ｔ／ｍ3×０．２７ｍ3＝６４８ｋｇである。よって、計算上は基礎ブロック５の自重で風荷重の鉛直成分に対抗できる。太陽電池パネル２の大きさや傾斜角、設置場所その他の初期条件が異なる場合でも、上記に準じて基礎ブロック５の材質や大きさを設計することができる。
【００３７】
上述した構造的特徴により、太陽電池パネル２が、それよりも水平投影面積の小さい基礎ブロック５の上方に、傘のようにして保持されることとなる。その保持姿勢の安定のためには、基礎ブロック５の底面と接する設置面内域に太陽電池パネル２の重心が保持されるように形成されることが好ましい。例えば、基礎ブロック５の底面が水平面と合致する場合においては、基礎ブロック５の底面と接する設置面内の垂線が太陽電池パネル２の重心を通るように、架台３を含めた太陽電池パネル２の重心を調整して形成されることが好ましく、さらには構造的な強度面では基礎ブロック５の底面と接する設置面内の垂線が太陽電池パネル２と架台３とのそれぞれの重心を通るように、太陽電池パネル２の重心と架台３の重心を調整して形成されることが好ましい。本実施形態では、基礎ブロック５の底面と接する設置面の上方に位置するように太陽電池パネル２の重心が保持されても構わない。あるいは、太陽電池パネル２の端部もしくは太陽電池パネル２の裏面に添設されるフレーム３６の先端が基礎ブロック５の外方まで延設され、架台３を含めた太陽電池パネル２の重心が基礎ブロック５の底面と接する設置面の下方に位置するように太陽電池パネル２の重心が保持されるのも好ましい。あるいは、基礎ブロック５の底面と接する設置面と同一の平面内に特に太陽電池パネル２の重心が保持されても構わない。傘状に太陽電池パネル２を配置して、太陽電池パネル２もしくは太陽電池パネル２の裏面に添設されるフレーム３６の一端が基礎ブロック５の上面よりも下方に位置するようにすれば、架台３を含めた太陽電池パネル２の重心が基礎ブロック５の底面と接する設置面の下方に位置することが可能である。上述の構成に加えて、基礎ブロック５の外方まで延設されたフレーム３６の先端に、基礎ブロック５とは別体の重量物を載置するなどして重心を調整しても構わない。
【００３８】
また、基礎ブロック５の底面と接する設置面内の垂線が架台を含めた太陽電池パネル２の重心と基礎ブロック５の重心を通るようにすれば、力学的にはより好ましく、沈下した場合においても傾きを最小限に抑えることが可能である。また、太陽電池パネル２の重心と基礎ブロック５の重心の高さの差も、小さくなるほど、架台３を含めた太陽電池パネル２が受ける風等の横からの力に対して安定性が向上する。
【００３９】
上述では説明を分りやすくする為に水平面に設置された基礎ブロック５の底面を基準に各重心の配置関係の例示について説明したが、水平面以外に設置された基礎ブロック５の場合においては、基礎ブロック５の底面と接する設置面内の垂線が太陽電池パネル２と架台３とのそれぞれの重心を通るように、という表現に代わって、太陽電池パネル２と架台３とのそれぞれの重心を通る重力方向の線が基礎ブロック５の底面と接する設置面内を通過するとの表現が好ましい。
【００４０】
本発明の太陽電池アレイ１を構成する架台３については、例示形態のように、載架アーム３２と、斜めアーム３３と、フレーム３６を構成する斜材とを組み合わせて形成したトラス架構体が、簡素でありながら安定性や強度に優れ、低コストで製作可能なものとなっている。さらに、基礎ブロック５の上面に、一対のベースレール３１が互いに間隔を開けて並置され、それらベースレール３１の端部が基礎ブロック５の外方まで延設されているので、載架アームや３２や斜めアーム３３等からなる架構体の少なくとも一部を、ベースレール３１の上記張出部に結合して、基礎ブロック５よりも外側で保持することができる。これにより、基礎ブロック５の上面が狭くても、載架アームや３２や斜めアーム３３等の向きや角度を、力学的にバランスのよい状態に保持するのが容易になる。
【００４１】
なお、かかる構成においては、基礎ブロック５の平面形状や大きさに応じて、例えばベースレール３１を３本以上としたり、あるいは基礎ブロック５の上面に傾斜や段差を設けるなどして、複数本のベースレール３１を高さ違いに配置したりしてもよい。
【００４２】
ベースレール３１上に結合される架構体については、例示形態のように、複数本の載架アーム３２をベースレール３１に交差させ、例えばベースレール３１に直交する姿勢で水平に載架し、それら載架アーム３２の前端を基礎ブロック５の前方に延設する一方、それら各載架アーム３２の後端には、斜めアーム３３を、例えば傾斜角度を揃えて立ち上げるように構成しているので、太陽電池パネル２を傾斜状態で保持する際の力学的なバランスを好ましくすることができる。載架アーム３２にも傾斜を設けたり、あるいは載架アーム３２や斜めアーム３３を上面視放射状に配置したりすることも可能である。
【００４３】
また、他の実施形態としては、例えば低緯度地域において、太陽電池パネル２を水平に近い傾斜で設置することが考えられる。その場合は、例えば基礎ブロック５の上面に取り付けた一対のベースレール３１上に、複数本の載架アーム３２をベースレール３１と交差させ、例えばベースレール３１に直交する姿勢で水平に載架し、それら載架アーム３２の両端を基礎ブロック５の外方まで延設する。そして、載架アーム３２の両端を含む適所にフレーム３６を接合する、という架台構造を採用することにより、太陽電池パネル２を水平に近い傾斜で設置する場合の力学的なバランスを好ましくすることができる。
【００４４】
さらに、ベースレール３１上に結合される載架アーム３２については、隣接する載架アーム３２との保持間隔を変更可能とすることにより、様々な大きさの太陽電池パネル２にも対応が容易になる。
【００４５】
多数個の太陽電池アレイ１を並べる場合の設置構造については、各基礎ブロック５が互いに連結固定はされず、個々に独立した状態で配置されるのが好ましい。この場合は、地盤の不同沈下によって各太陽電池アレイ１が不規則に沈下もしくは傾斜するおそれに配慮し、隣接する互いの太陽電池モジュール２０間には最小限の安全間隔を保持するのが好ましい。その間隔は、太陽電池アレイ１の大きさや形状、傾斜角、地盤の強度等を考慮して設定されるべき数値であるが、実用的な目安としては数十ｃｍ程度である。これにより、軟弱地盤上に多数個の太陽電池アレイ１を設置する場合でも、不同沈下によって傾倒した太陽電池アレイ１が隣接する太陽電池アレイ１を損傷することを防ぎやすくなる。並べられた太陽電池アレイ１の基礎ブロック５は個々に独立しているから、万が一にいずれかの太陽電池アレイ１が傾倒した場合においても、その影響は隣接する太陽電池アレイ１には波及しないし、傾倒した太陽電池アレイ１の補修も大がかりにはならず、簡単に済む。
【図面の簡単な説明】
【００４６】
【図１】本発明の実施形態に係る太陽電池アレイの正面図である。
【図２】本発明の実施形態に係る太陽電池アレイの側面図である。
【図３】本発明の実施形態に係る太陽電池アレイを、太陽電池パネルの法線方向から見下ろした図である。
【符号の説明】
【００４７】
１  太陽電池アレイ
２  太陽電池パネル
２０  太陽電池モジュール
３  架台
３１  ベースレール
３２  載架アーム
３３  斜めアーム
３６  フレーム
５  基礎ブロック
６  設置面
【図１】
2010098241.tif 000003
【図２】
2010098241.tif 000004
【図３】
2010098241.tif 000005